(57)【要約】      （修正有）【課題】ケース本体およびケース蓋体の肉厚が薄肉化されている場合であってもケース本体に対するケース蓋体の係止力を十分に確保するディスクケースを提供する。【解決手段】底板部１ａと側壁部１ｂ,１ｄとを有するケース本体１と、天板部２ａと側壁部２ｂ,２ｃ,２ｄとを有するケース蓋体２とを具備し、ヒンジ軸とヒンジ軸収容穴とを嵌合させ、ヒンジ軸を中心にケース蓋体２をケース本体１に対して回動させることにより、ケース蓋体２を開閉可能に構成したディスクケース１０において、ケース蓋体２が閉じられた状態でケース本体１に対してケース蓋体２を係止させるための係止機構３を少なくとも４箇所設けた。【選択図】図６
0003145533.tif 000002
【実用新案登録請求の範囲】
【請求項１】
底板部（１ａ）と側壁部（１ｂ，１ｃ，１ｄ）とを有するケース本体（１）と、
天板部（２ａ）と側壁部（２ｂ，２ｃ，２ｄ）とを有するケース蓋体（２）とを具備し、
ケース本体（１）およびケース蓋体（２）の一方にヒンジ軸（２ｅ）を形成し、
ヒンジ軸（２ｅ）を収容するためのヒンジ軸収容穴（１ｅ）を、ケース本体（１）およびケース蓋体（２）の他方に形成し、
ヒンジ軸（２ｅ）とヒンジ軸収容穴（１ｅ）とを嵌合させ、ヒンジ軸（２ｅ）を中心にケース蓋体（２）をケース本体（１）に対して回動させることにより、ケース蓋体（２）を開閉可能に構成したディスクケース（１０）において、
ケース蓋体（２）が閉じられた状態でケース本体（１）に対してケース蓋体（２）を係止させるための係止機構（３）を少なくとも４箇所設けたことを特徴とするディスクケース（１０）。
【請求項２】
ケース蓋体（２）に対してインデックスを固定するための固定爪（２ｂ１，２ｂ２，２ｃ１，２ｃ２）をケース蓋体（２）の側壁部（２ｂ，２ｃ）に形成し、
係止機構（３）の一部を構成する係止突起（１ａ１，１ａ２，１ａ３，１ａ４）をケース本体（１）の底板部（１ａ）に形成し、
係止突起（１ａ１，１ａ２，１ａ３，１ａ４）と嵌合するための係止穴（２ｂ１ａ，２ｂ２ａ，２ｃ１ａ，２ｃ２ａ）を固定爪（２ｂ１，２ｂ２，２ｃ１，２ｃ２）に形成したことを特徴とする請求項１に記載のディスクケース（１０）。
【請求項３】
ヒンジ軸収容穴（１ｅ）の中心軸線に直交すると共に互いに対向する１対の第１側壁部（１ｂ）および第２側壁部（１ｃ）と、第１側壁部（１ｂ）および第２側壁部（１ｃ）と直交すると共にヒンジ軸収容穴（１ｅ）の中心軸線に平行な第３側壁部（１ｄ）とをケース本体（１）に設け、
ヒンジ軸（２ｅ）の中心軸線に直交すると共に互いに対向する１対の第１側壁部（２ｂ）および第２側壁部（２ｃ）と、第１側壁部（２ｂ）および第２側壁部（２ｃ）と直交すると共にヒンジ軸（２ｅ）の中心軸線に平行な第３側壁部（２ｄ）とをケース蓋体（２）に設けたことを特徴とする請求項１又は２に記載のディスクケース（１０）。
【請求項４】
概略矩形の底板部（１ａ）の第１コーナー部（１ａ５）、第２コーナー部（１ａ６）、第３コーナー部（１ａ７）および第４コーナー部（１ａ８）のうち、第１コーナー部（１ａ５）でケース本体（１）の第１側壁部（１ｂ）と第３側壁部（１ｄ）とを接続し、第２コーナー部（１ａ６）でケース本体（１）の第３側壁部（１ｄ）と第２側壁部（１ｃ）とを接続し、
概略矩形の天板部（２ａ）の第１コーナー部（２ａ１）、第２コーナー部（２ａ２）、第３コーナー部（２ａ３）および第４コーナー部（２ａ４）のうち、第１コーナー部（２ａ１）でケース蓋体（２）の第１側壁部（２ｂ）と第３側壁部（２ｄ）とを接続し、第２コーナー部（２ａ２）でケース蓋体（２）の第３側壁部（２ｄ）と第２側壁部（２ｃ）とを接続したことを特徴とする請求項３に記載のディスクケース（１０）。
【請求項５】
ケース蓋体（２）に対してインデックスを固定するための第１固定爪（２ｂ１）および第２固定爪（２ｂ２）をケース蓋体（２）の第１側壁部（２ｂ）に形成し、
ケース蓋体（２）に対してインデックスを固定するための第３固定爪（２ｃ１）および第４固定爪（２ｃ２）をケース蓋体（２）の第２側壁部（２ｃ）に形成し、
インデックスのうち、第１固定爪（２ｂ１）および第２固定爪（２ｂ２）に固定される部分を通過させるための第１ザグリ部（２ｄ１）をケース蓋体（２）の第３側壁部（２ｄ）に形成し、
ケース蓋体（２）の第３側壁部（２ｄ）の第１ザグリ部（２ｄ１）と概略相補形状であって、第１ザグリ部（２ｄ１）に当接する第１凸部（１ｄ１）をケース本体（１）の第３側壁部（１ｄ）に形成し、
インデックスのうち、第３固定爪（２ｃ１）および第４固定爪（２ｃ２）に固定される部分を通過させるための第２ザグリ部（２ｄ２）をケース蓋体（２）の第３側壁部（２ｄ）に形成し、
ケース蓋体（２）の第３側壁部（２ｄ）の第２ザグリ部（２ｄ２）と概略相補形状であって、第２ザグリ部（２ｄ２）に当接する第２凸部（１ｄ２）をケース本体（１）の第３側壁部（１ｄ）に形成したことを特徴とする請求項１〜４のいずれか一項に記載のディスクケース（１０）。
【考案の詳細な説明】
【技術分野】
【０００１】
本考案は、ヒンジ軸を中心にケース蓋体をケース本体に対して回動させることにより、ケース蓋体を開閉可能に構成したディスクケースに関し、特には、ケース本体に対するケース蓋体の係止力を十分に確保することができるディスクケースに関する。
【０００２】
詳細には、本考案は、ケース本体およびケース蓋体の肉厚が薄肉化されている場合であっても、ケース本体に対するケース蓋体の係止力を十分に確保することができるディスクケースに関する。
【背景技術】
【０００３】
従来から、ヒンジ軸を中心にケース蓋体をケース本体に対して回動させることにより、ケース蓋体を開閉可能に構成したディスクケースが知られている。この種のディスクケースの例としては、例えば特開２００２−９６８８５号公報の図１および図４に記載されたものがある。
【０００４】
特開２００２−９６８８５号公報の図１および図４に記載されたディスクケースでは、ケース本体（トレイ）に、ディスク収容凹部を画定する底板部と、側壁部とが設けられている。また、ケース蓋体（蓋）に、天板部と側壁部とが設けられている。
【０００５】
更に、特開２００２−９６８８５号公報の図１および図４に記載されたディスクケースでは、ケース本体（トレイ）およびケース蓋体（蓋）の一方にヒンジ軸が形成されている。また、ヒンジ軸を収容するためのヒンジ軸収容穴が、ケース本体（トレイ）およびケース蓋体（蓋）の他方に形成されている。更に、ヒンジ軸とヒンジ軸収容穴とを嵌合させ、ヒンジ軸を中心にケース蓋体（蓋）をケース本体（トレイ）に対して回動させることにより、ケース蓋体（蓋）が開閉可能に構成されている。
【０００６】
また、特開２００２−９６８８５号公報の図１および図４に記載されたディスクケースでは、ケース蓋体（蓋）が閉じられた状態でケース本体（トレイ）に対してケース蓋体（蓋）を係止させるための係止機構が２箇所設けられている。
【０００７】
詳細には、特開２００２−９６８８５号公報の図１および図４に記載されたディスクケースでは、ケース本体（トレイ）およびケース蓋体（蓋）の側壁部のうち、ヒンジ軸に直交する一方の側壁部（特開２００２−９６８８５号公報の図１の左手前側のケース本体（トレイ）およびケース蓋体（蓋）の側壁部）に、突起および穴によって構成される第１係止機構が設けられている。
【０００８】
更に、特開２００２−９６８８５号公報の図１および図４に記載されたディスクケースでは、ケース本体（トレイ）およびケース蓋体（蓋）の側壁部のうち、ヒンジ軸に直交する他方の側壁部（特開２００２−９６８８５号公報の図１の右奥側のケース本体（トレイ）およびケース蓋体（蓋）の側壁部）に、突起および穴によって構成される第２係止機構が設けられている。
【０００９】
ところで、近年においては、ディスクケースのケース本体（トレイ）およびケース蓋体（蓋）の肉厚が薄肉化されており、それに伴って、ケース本体（トレイ）およびケース蓋体（蓋）の側壁部の肉厚も薄肉化されている。
【００１０】
そのため、特開２００２−９６８８５号公報の図１に記載されたディスクケースでは、ケース蓋体（蓋）の側壁部の突起または穴を、ケース本体（トレイ）の側壁部の穴または突起に係止させようとすると、ケース蓋体（蓋）の側壁部および／またはケース本体（トレイ）の側壁部が撓んでしまい、それに伴って、ケース本体（トレイ）に対するケース蓋体（蓋）の係止力が不十分になってしまうおそれがある。
【００１１】
【特許文献１】特開２００２−９６８８５号公報の図１および図４
【考案の開示】
【考案が解決しようとする課題】
【００１２】
前記問題点に鑑み、本考案は、ケース本体に対するケース蓋体の係止力を十分に確保することができるディスクケースを提供することを目的とする。
【００１３】
詳細には、本考案は、ケース本体およびケース蓋体の肉厚が薄肉化されている場合であっても、ケース本体に対するケース蓋体の係止力を十分に確保することができるディスクケースを提供することを目的とする。
【課題を解決するための手段】
【００１４】
請求項１に記載の考案によれば、底板部（１ａ）と側壁部（１ｂ，１ｃ，１ｄ）とを有するケース本体（１）と、天板部（２ａ）と側壁部（２ｂ，２ｃ，２ｄ）とを有するケース蓋体（２）とを具備し、ケース本体（１）およびケース蓋体（２）の一方にヒンジ軸（２ｅ）を形成し、ヒンジ軸（２ｅ）を収容するためのヒンジ軸収容穴（１ｅ）を、ケース本体（１）およびケース蓋体（２）の他方に形成し、ヒンジ軸（２ｅ）とヒンジ軸収容穴（１ｅ）とを嵌合させ、ヒンジ軸（２ｅ）を中心にケース蓋体（２）をケース本体（１）に対して回動させることにより、ケース蓋体（２）を開閉可能に構成したディスクケース（１０）において、ケース蓋体（２）が閉じられた状態でケース本体（１）に対してケース蓋体（２）を係止させるための係止機構（３）を少なくとも４箇所設けたことを特徴とするディスクケース（１０）が提供される。
【００１５】
請求項２に記載の考案によれば、ケース蓋体（２）に対してインデックスを固定するための固定爪（２ｂ１，２ｂ２，２ｃ１，２ｃ２）をケース蓋体（２）の側壁部（２ｂ，２ｃ）に形成し、係止機構（３）の一部を構成する係止突起（１ａ１，１ａ２，１ａ３，１ａ４）をケース本体（１）の底板部（１ａ）に形成し、係止突起（１ａ１，１ａ２，１ａ３，１ａ４）と嵌合するための係止穴（２ｂ１ａ，２ｂ２ａ，２ｃ１ａ，２ｃ２ａ）を固定爪（２ｂ１，２ｂ２，２ｃ１，２ｃ２）に形成したことを特徴とする請求項１に記載のディスクケース（１０）が提供される。
【００１６】
請求項３に記載の考案によれば、ヒンジ軸収容穴（１ｅ）の中心軸線に直交すると共に互いに対向する１対の第１側壁部（１ｂ）および第２側壁部（１ｃ）と、第１側壁部（１ｂ）および第２側壁部（１ｃ）と直交すると共にヒンジ軸収容穴（１ｅ）の中心軸線に平行な第３側壁部（１ｄ）とをケース本体（１）に設け、ヒンジ軸（２ｅ）の中心軸線に直交すると共に互いに対向する１対の第１側壁部（２ｂ）および第２側壁部（２ｃ）と、第１側壁部（２ｂ）および第２側壁部（２ｃ）と直交すると共にヒンジ軸（２ｅ）の中心軸線に平行な第３側壁部（２ｄ）とをケース蓋体（２）に設けたことを特徴とする請求項１又は２に記載のディスクケース（１０）が提供される。
【００１７】
請求項４に記載の考案によれば、概略矩形の底板部（１ａ）の第１コーナー部（１ａ５）、第２コーナー部（１ａ６）、第３コーナー部（１ａ７）および第４コーナー部（１ａ８）のうち、第１コーナー部（１ａ５）でケース本体（１）の第１側壁部（１ｂ）と第３側壁部（１ｄ）とを接続し、第２コーナー部（１ａ６）でケース本体（１）の第３側壁部（１ｄ）と第２側壁部（１ｃ）とを接続し、概略矩形の天板部（２ａ）の第１コーナー部（２ａ１）、第２コーナー部（２ａ２）、第３コーナー部（２ａ３）および第４コーナー部（２ａ４）のうち、第１コーナー部（２ａ１）でケース蓋体（２）の第１側壁部（２ｂ）と第３側壁部（２ｄ）とを接続し、第２コーナー部（２ａ２）でケース蓋体（２）の第３側壁部（２ｄ）と第２側壁部（２ｃ）とを接続したことを特徴とする請求項３に記載のディスクケース（１０）が提供される。
【００１８】
請求項５に記載の考案によれば、ケース蓋体（２）に対してインデックスを固定するための第１固定爪（２ｂ１）および第２固定爪（２ｂ２）をケース蓋体（２）の第１側壁部（２ｂ）に形成し、ケース蓋体（２）に対してインデックスを固定するための第３固定爪（２ｃ１）および第４固定爪（２ｃ２）をケース蓋体（２）の第２側壁部（２ｃ）に形成し、インデックスのうち、第１固定爪（２ｂ１）および第２固定爪（２ｂ２）に固定される部分を通過させるための第１ザグリ部（２ｄ１）をケース蓋体（２）の第３側壁部（２ｄ）に形成し、ケース蓋体（２）の第３側壁部（２ｄ）の第１ザグリ部（２ｄ１）と概略相補形状であって、第１ザグリ部（２ｄ１）に当接する第１凸部（１ｄ１）をケース本体（１）の第３側壁部（１ｄ）に形成し、インデックスのうち、第３固定爪（２ｃ１）および第４固定爪（２ｃ２）に固定される部分を通過させるための第２ザグリ部（２ｄ２）をケース蓋体（２）の第３側壁部（２ｄ）に形成し、ケース蓋体（２）の第３側壁部（２ｄ）の第２ザグリ部（２ｄ２）と概略相補形状であって、第２ザグリ部（２ｄ２）に当接する第２凸部（１ｄ２）をケース本体（１）の第３側壁部（１ｄ）に形成したことを特徴とする請求項１〜４のいずれか一項に記載のディスクケース（１０）が提供される。
【考案の効果】
【００１９】
請求項１に記載のディスクケース（１０）では、底板部（１ａ）と側壁部（１ｂ，１ｃ，１ｄ）とを有するケース本体（１）と、天板部（２ａ）と側壁部（２ｂ，２ｃ，２ｄ）とを有するケース蓋体（２）とが設けられている。
【００２０】
更に、請求項１に記載のディスクケース（１０）では、ケース本体（１）およびケース蓋体（２）の一方にヒンジ軸（２ｅ）が形成されている。また、ヒンジ軸（２ｅ）を収容するためのヒンジ軸収容穴（１ｅ）が、ケース本体（１）およびケース蓋体（２）の他方に形成されている。更に、ヒンジ軸（２ｅ）とヒンジ軸収容穴（１ｅ）とを嵌合させ、ヒンジ軸（２ｅ）を中心にケース蓋体（２）をケース本体（１）に対して回動させることにより、ケース蓋体（２）が開閉可能に構成されている。
【００２１】
詳細には、請求項１に記載のディスクケース（１０）では、ケース蓋体（２）が閉じられた状態でケース本体（１）に対してケース蓋体（２）を係止させるための係止機構（３）が少なくとも４箇所設けられている。
【００２２】
そのため、請求項１に記載のディスクケース（１０）によれば、ケース本体（１）およびケース蓋体（２）の肉厚が薄肉化されている場合であっても、ケース本体（１）に対するケース蓋体（２）の係止力を十分に確保することができる。
【００２３】
その結果、請求項１に記載のディスクケース（１０）によれば、ディスクケース（１０）の落下時等の衝撃によってケース蓋体（２）が開いてしまうおそれを低減することができる。
【００２４】
請求項２に記載のディスクケース（１０）では、ケース蓋体（２）に対してインデックスを固定するための固定爪（２ｂ１，２ｂ２，２ｃ１，２ｃ２）が、ケース蓋体（２）の側壁部（２ｂ，２ｃ）に形成されている。更に、ケース蓋体（２）が閉じられた状態でケース本体（１）に対してケース蓋体（２）を係止させるための係止機構（３）の一部を構成する係止突起（１ａ１，１ａ２，１ａ３，１ａ４）が、ケース本体（１）の底板部（１ａ）に形成されている。また、係止突起（１ａ１，１ａ２，１ａ３，１ａ４）と嵌合するための係止穴（２ｂ１ａ，２ｂ２ａ，２ｃ１ａ，２ｃ２ａ）が、固定爪（２ｂ１，２ｂ２，２ｃ１，２ｃ２）に形成されている。
【００２５】
つまり、請求項２に記載のディスクケース（１０）では、係止機構（３）の一部を構成する係止突起（１ａ１，１ａ２，１ａ３，１ａ４）が、ケース本体（１）の側壁部（１ｂ，１ｃ，１ｄ）に形成されるのではなく、ケース本体（１）の底板部（１ａ）に形成されている。また、係止突起（１ａ１，１ａ２，１ａ３，１ａ４）と嵌合するための係止穴（２ｂ１ａ，２ｂ２ａ，２ｃ１ａ，２ｃ２ａ）が、ケース蓋体（２）の側壁部（２ｂ，２ｃ，２ｄ）自体に直接形成されるのではなく、ケース蓋体（２）の側壁部（２ｂ，２ｃ，２ｄ）からケース蓋体（２）の内側に延びている固定爪（２ｂ１，２ｂ２，２ｃ１，２ｃ２）に形成されている。
【００２６】
そのため、請求項２に記載のディスクケース（１０）によれば、係止機構（３）の一部を構成する係止突起（１ａ１，１ａ２，１ａ３，１ａ４）がケース本体（１）の側壁部（１ｂ，１ｃ，１ｄ）に形成されると共に、係止突起（１ａ１，１ａ２，１ａ３，１ａ４）と嵌合するための係止穴（２ｂ１ａ，２ｂ２ａ，２ｃ１ａ，２ｃ２ａ）がケース蓋体（２）の側壁部（２ｂ，２ｃ，２ｄ）自体に直接形成されるのに伴って、ケース本体（１）の側壁部（１ｂ，１ｃ，１ｄ）および／またはケース蓋体（２）の側壁部（２ｂ，２ｃ，２ｄ）がケース蓋体（２）の開閉動作時に撓んでしまうのを回避することができる。
【００２７】
請求項３に記載のディスクケース（１０）では、ヒンジ軸収容穴（１ｅ）の中心軸線に直交すると共に互いに対向する１対の第１側壁部（１ｂ）および第２側壁部（１ｃ）と、第１側壁部（１ｂ）および第２側壁部（１ｃ）と直交すると共にヒンジ軸収容穴（１ｅ）の中心軸線に平行な第３側壁部（１ｄ）とが、ケース本体（１）に設けられている。
【００２８】
そのため、請求項３に記載のディスクケース（１０）によれば、ケース本体（１）の肉厚が薄肉化されるのに伴ってケース本体（１）の底板部（１ａ）が変形してしまうおそれを低減することができる。
【００２９】
更に、請求項３に記載のディスクケース（１０）では、ヒンジ軸（２ｅ）の中心軸線に直交すると共に互いに対向する１対の第１側壁部（２ｂ）および第２側壁部（２ｃ）と、第１側壁部（２ｂ）および第２側壁部（２ｃ）と直交すると共にヒンジ軸（２ｅ）の中心軸線に平行な第３側壁部（２ｄ）とが、ケース蓋体（２）に設けられている。
【００３０】
そのため、請求項３に記載のディスクケース（１０）によれば、ケース蓋体（２）の肉厚が薄肉化されるのに伴ってケース蓋体（２）の天板部（２ａ）が変形してしまうおそれを低減することができる。
【００３１】
請求項４に記載のディスクケース（１０）では、概略矩形の底板部（１ａ）の第１コーナー部（１ａ５）、第２コーナー部（１ａ６）、第３コーナー部（１ａ７）および第４コーナー部（１ａ８）のうち、第１コーナー部（１ａ５）でケース本体（１）の第１側壁部（１ｂ）と第３側壁部（１ｄ）とが接続され、第２コーナー部（１ａ６）でケース本体（１）の第３側壁部（１ｄ）と第２側壁部（１ｃ）とが接続されている。
【００３２】
そのため、請求項４に記載のディスクケース（１０）によれば、ケース本体（１）の肉厚が薄肉化されるのに伴ってケース本体（１）の底板部（１ａ）が変形してしまうおそれを低減することができる。
【００３３】
更に、請求項４に記載のディスクケース（１０）では、概略矩形の天板部（２ａ）の第１コーナー部（２ａ１）、第２コーナー部（２ａ２）、第３コーナー部（２ａ３）および第４コーナー部（２ａ４）のうち、第１コーナー部（２ａ１）でケース蓋体（２）の第１側壁部（２ｂ）と第３側壁部（２ｄ）とが接続され、第２コーナー部（２ａ２）でケース蓋体（２）の第３側壁部（２ｄ）と第２側壁部（２ｃ）とが接続されている。
【００３４】
そのため、請求項４に記載のディスクケース（１０）によれば、ケース蓋体（２）の肉厚が薄肉化されるのに伴ってケース蓋体（２）の天板部（２ａ）が変形してしまうおそれを低減することができる。
【００３５】
請求項５に記載のディスクケース（１０）では、ケース蓋体（２）に対してインデックスを固定するための第１固定爪（２ｂ１）および第２固定爪（２ｂ２）が、ケース蓋体（２）の第１側壁部（２ｂ）に形成されている。また、ケース蓋体（２）に対してインデックスを固定するための第３固定爪（２ｃ１）および第４固定爪（２ｃ２）が、ケース蓋体（２）の第２側壁部（２ｃ）に形成されている。
【００３６】
詳細には、請求項５に記載のディスクケース（１０）では、インデックスのうち、第１固定爪（２ｂ１）および第２固定爪（２ｂ２）に固定される部分を通過させるための第１ザグリ部（２ｄ１）が、ケース蓋体（２）の第３側壁部（２ｄ）に形成されている。
【００３７】
そのため、請求項５に記載のディスクケース（１０）によれば、第１固定爪（２ｂ１）および第２固定爪（２ｂ２）に対するインデックスの取り付け性を向上させることができる。
【００３８】
更に、請求項５に記載のディスクケース（１０）では、ケース蓋体（２）の第３側壁部（２ｄ）の第１ザグリ部（２ｄ１）と概略相補形状であって、第１ザグリ部（２ｄ１）に当接する第１凸部（１ｄ１）が、ケース本体（１）の第３側壁部（１ｄ）に形成されている。
【００３９】
つまり、請求項５に記載のディスクケース（１０）では、ケース本体（１）の第３側壁部（１ｄ）の第１凸部（１ｄ１）によって、ケース蓋体（２）の第３側壁部（２ｄ）が補強されている。
【００４０】
そのため、請求項５に記載のディスクケース（１０）によれば、ケース蓋体（２）の第３側壁部（２ｄ）に第１ザグリ部（２ｄ１）が形成されるのに伴って、ケース蓋体（２）の第３側壁部（２ｄ）の強度が低下してしまうおそれを低減することができる。
【００４１】
また、請求項５に記載のディスクケース（１０）では、インデックスのうち、第３固定爪（２ｃ１）および第４固定爪（２ｃ２）に固定される部分を通過させるための第２ザグリ部（２ｄ２）が、ケース蓋体（２）の第３側壁部（２ｄ）に形成されている。
【００４２】
そのため、請求項５に記載のディスクケース（１０）によれば、第３固定爪（２ｃ１）および第４固定爪（２ｃ２）に対するインデックスの取り付け性を向上させることができる。
【００４３】
更に、請求項５に記載のディスクケース（１０）では、ケース蓋体（２）の第３側壁部（２ｄ）の第２ザグリ部（２ｄ２）と概略相補形状であって、第２ザグリ部（２ｄ２）に当接する第２凸部（１ｄ２）が、ケース本体（１）の第３側壁部（１ｄ）に形成されている。
【００４４】
つまり、請求項５に記載のディスクケース（１０）では、ケース本体（１）の第３側壁部（１ｄ）の第２凸部（１ｄ２）によって、ケース蓋体（２）の第３側壁部（２ｄ）が補強されている。
【００４５】
そのため、請求項５に記載のディスクケース（１０）によれば、ケース蓋体（２）の第３側壁部（２ｄ）に第２ザグリ部（２ｄ２）が形成されるのに伴って、ケース蓋体（２）の第３側壁部（２ｄ）の強度が低下してしまうおそれを低減することができる。
【考案を実施するための最良の形態】
【００４６】
以下、本考案のディスクケースの第１の実施形態について説明する。第１の実施形態のディスクケースは、例えばＣＤ系、ＤＶＤ系などの光記録ディスクのようなセンターホールを有する１枚のディスクを収納するために用いられる。
【００４７】
図１および図２は第１の実施形態のディスクケースの一部を構成するケース本体１を示した図である。詳細には、図１はケース本体１の後側面図、図２（Ａ）はケース本体１の平面図、図２（Ｂ）はケース本体１の右側面図、図２（Ｃ）はケース本体１の正面図である。
【００４８】
図３および図４は第１の実施形態のディスクケースの一部を構成するケース蓋体２を示した図である。詳細には、図３（Ａ）はケース蓋体２の平面図、図３（Ｂ）はケース蓋体２の右側面図、図４はケース蓋体２の底面図である。
【００４９】
図５および図６は図１および図２に示したケース本体１のヒンジ軸収容穴１ｅと、図３および図４に示したケース蓋体２のヒンジ軸２ｅとが嵌合せしめられ、ケース蓋体２が閉じられた状態の第１の実施形態のディスクケース１０を示した図である。詳細には、図５はディスクケース１０の後側面図、図６（Ａ）はディスクケース１０の平面図、図６（Ｂ）はディスクケース１０の右側面図、図６（Ｃ）はディスクケース１０の正面図である。
【００５０】
第１の実施形態のディスクケース１０では、図１および図２に示すように、ケース本体１に、底板部１ａと、前側壁部１ｂと、後側壁部１ｃと、右側壁部１ｄとが設けられている。また、図３および図４に示すように、ケース蓋体２に、天板部２ａと、前側壁部２ｂと、後側壁部２ｃと、右側壁部２ｄとが設けられている。
【００５１】
更に、第１の実施形態のディスクケース１０では、図３および図４に示すように、ケース蓋体２にヒンジ軸２ｅが形成されている。また、図１および図２に示すように、ケース蓋体２のヒンジ軸２ｅを収容するためのヒンジ軸収容穴１ｅが、ケース本体１に形成されている。
【００５２】
第２の実施形態のディスクケース１０では、代わりに、ケース本体１にヒンジ軸を形成し、そのヒンジ軸を収容するためのヒンジ軸収容穴をケース蓋体２に形成することも可能である。
【００５３】
第１の実施形態のディスクケース１０では、図１〜図６に示すように、ヒンジ軸２ｅとヒンジ軸収容穴１ｅとを嵌合させ、ヒンジ軸２ｅを中心にケース蓋体２をケース本体１に対して回動させることにより、ケース蓋体２が開閉可能に構成されている。
【００５４】
また、第１の実施形態のディスクケース１０では、図１および図２に示すように、ディスク（図示せず）のセンターホール（図示せず）がケース本体１のディスク係止部１ａ９に係止される。
【００５５】
更に、第１の実施形態のディスクケース１０では、図６（Ａ）に示すように、ケース蓋体２が閉じられた状態でケース本体１に対してケース蓋体２を係止させるための係止機構３が少なくとも４箇所設けられている。
【００５６】
詳細には、第１の実施形態のディスクケース１０では、図１および図２に示すように、係止機構３（図６（Ａ）参照）の一部を構成する係止突起１ａ１，１ａ２，１ａ３，１ａ４が、ケース本体１の底板部１ａに形成されている。更に、図３および図４に示すように、ケース蓋体２に対してインデックス（図示せず）を固定するために、固定爪２ｂ１，２ｂ２がケース蓋体２の前側壁部２ｂに形成され、固定爪２ｃ１，２ｃ２がケース蓋体２の後側壁部２ｃに形成されている。更に、係止突起１ａ１（図１および図２参照）と嵌合するための係止穴２ｂ１ａが固定爪２ｂ１に形成され、係止突起１ａ２（図１および図２参照）と嵌合するための係止穴２ｂ２ａが固定爪２ｂ２に形成され、係止突起１ａ３（図１および図２参照）と嵌合するための係止穴２ｃ１ａが固定爪２ｃ１に形成され、係止突起１ａ４（図１および図２参照）と嵌合するための係止穴２ｃ２ａが固定爪２ｃ２に形成されている。
【００５７】
つまり、第１の実施形態のディスクケース１０では、図１および図２に示すように、係止機構３の一部を構成する係止突起１ａ１，１ａ２，１ａ３，１ａ４が、ケース本体１の前側壁部１ｂ、後側壁部１ｃあるいは右側壁部１ｄに形成されるのではなく、ケース本体１の底板部１ａに形成されている。また、図３および図４に示すように、係止突起１ａ１，１ａ２，１ａ３，１ａ４（図１および図２参照）と嵌合するための係止穴２ｂ１ａ，２ｂ２ａ，２ｃ１ａ，２ｃ２ａが、ケース蓋体２の前側壁部２ｂ、後側壁部２ｃあるいは右側壁部２ｄ自体に直接形成されるのではなく、ケース蓋体２の前側壁部２ｂからケース蓋体２の内側に延びている固定爪２ｂ１，２ｂ２に形成され、ケース蓋体２の後側壁部２ｃからケース蓋体２の内側に延びている固定爪２ｃ１，２ｃ２に形成されている。
【００５８】
そのため、第１の実施形態のディスクケース１０によれば、係止機構３の一部を構成する係止突起１ａ１，１ａ２，１ａ３，１ａ４がケース本体１の側壁部１ｂ，１ｃ，１ｄに形成されると共に、係止突起１ａ１，１ａ２，１ａ３，１ａ４と嵌合するための係止穴２ｂ１ａ，２ｂ２ａ，２ｃ１ａ，２ｃ２ａがケース蓋体２の側壁部２ｂ，２ｃ，２ｄ自体に直接形成されるのに伴って、ケース本体１の側壁部１ｂ，１ｃ，１ｄおよび／またはケース蓋体２の側壁部２ｂ，２ｃ，２ｄがケース蓋体２の開閉動作時に撓んでしまうのを回避することができる。
【００５９】
図７は図６に示したケース本体１の係止突起１ａ４とケース蓋体２の係止穴２ｃ２ａとによって構成される係止機構３の拡大断面図である。第１の実施形態のディスクケース１０では、図７に示すように、係止機構３の一部を構成する係止突起１ａ４がケース本体１の底板部１ａに形成されている。また、係止突起１ａ４と嵌合するための係止穴２ｃ２ａが、ケース蓋体２の後側壁部２ｃからケース蓋体２の内側に延びている固定爪２ｃ２に形成されている。ケース本体１の係止突起１ａ１とケース蓋体２の係止穴２ｂ１ａとによって構成される係止機構３（図６参照）、ケース本体１の係止突起１ａ２とケース蓋体２の係止穴２ｂ２ａとによって構成される係止機構３（図６参照）、および、ケース本体１の係止突起１ａ３とケース蓋体２の係止穴２ｃ１ａとによって構成される係止機構３（図６参照）は、図７に示した断面形状と概略同様の断面形状を有する。
【００６０】
また、第１の実施形態のディスクケース１０では、図１および図２に示すように、ヒンジ軸収容穴１ｅの中心軸線に直交すると共に互いに対向する１対の前側壁部１ｂおよび後側壁部１ｃと、前側壁部１ｂおよび後側壁部１ｃと直交すると共にヒンジ軸収容穴１ｅの中心軸線に平行な右側壁部１ｄとが、ケース本体１に設けられている。
【００６１】
更に、第１の実施形態のディスクケース１０では、図１および図２に示すように、概略矩形の底板部１ａのコーナー部１ａ５，１ａ６，１ａ７，１ａ８のうち、コーナー部１ａ５でケース本体１の前側壁部１ｂと右側壁部１ｄとが接続され、コーナー部１ａ６でケース本体１の右側壁部１ｄと後側壁部１ｃとが接続されている。
【００６２】
そのため、第１の実施形態のディスクケース１０によれば、ケース本体１の肉厚が薄肉化されるのに伴ってケース本体１の底板部１ａが変形してしまうおそれを低減することができる。
【００６３】
また、第１の実施形態のディスクケース１０では、図３および図４に示すように、ヒンジ軸２ｅの中心軸線に直交すると共に互いに対向する１対の前側壁部２ｂおよび後側壁部２ｃと、前側壁部２ｂおよび後側壁部２ｃと直交すると共にヒンジ軸２ｅの中心軸線に平行な右側壁部２ｄとが、ケース蓋体２に設けられている。
【００６４】
更に、第１の実施形態のディスクケース１０では、図３および図４に示すように、概略矩形の天板部２ａのコーナー部２ａ１，２ａ２，２ａ３，２ａ４のうち、コーナー部２ａ１でケース蓋体２の前側壁部２ｂと右側壁部２ｄとが接続され、コーナー部２ａ２でケース蓋体２の右側壁部２ｄと後側壁部２ｃとが接続されている。
【００６５】
そのため、第１の実施形態のディスクケース１０によれば、ケース蓋体２の肉厚が薄肉化されるのに伴ってケース蓋体２の天板部２ａが変形してしまうおそれを低減することができる。
【００６６】
また、第１の実施形態のディスクケース１０では、図３および図４に示すように、インデックス（図示せず）のうち、固定爪２ｂ１，２ｂ２に固定される部分を通過させるためのザグリ部２ｄ１が、ケース蓋体２の右側壁部２ｄに形成されている。そのため、第１の実施形態のディスクケース１０によれば、固定爪２ｂ１，２ｂ２に対するインデックスの取り付け性を向上させることができる。
【００６７】
更に、第１の実施形態のディスクケース１０では、図２および図６に示すように、ケース蓋体２の右側壁部２ｄのザグリ部２ｄ１と概略相補形状であって、ザグリ部２ｄ１に当接する凸部１ｄ１が、ケース本体１の右側壁部１ｄに形成されている。つまり、第１の実施形態のディスクケース１０では、ケース本体１の右側壁部１ｄの凸部１ｄ１によって、ケース蓋体２の右側壁部２ｄが補強されている。そのため、第１の実施形態のディスクケース１０によれば、ケース蓋体２の右側壁部２ｄにザグリ部２ｄ１が形成されるのに伴って、ケース蓋体２の右側壁部２ｄの強度が低下してしまうおそれを低減することができる。
【００６８】
また、第１の実施形態のディスクケース１０では、図３および図４に示すように、インデックス（図示せず）のうち、固定爪２ｃ１，２ｃ２に固定される部分を通過させるためのザグリ部２ｄ２が、ケース蓋体２の右側壁部２ｄに形成されている。そのため、第１の実施形態のディスクケース１０によれば、固定爪２ｃ１，２ｃ２に対するインデックスの取り付け性を向上させることができる。
【００６９】
更に、第１の実施形態のディスクケース１０では、図２および図６に示すように、ケース蓋体２の右側壁部２ｄのザグリ部２ｄ２と概略相補形状であって、ザグリ部２ｄ２に当接する凸部１ｄ２が、ケース本体１の右側壁部１ｄに形成されている。図８は図６に示したケース本体１の右側壁部１ｄの凸部１ｄ２、ケース蓋体２の右側壁部２ｄのザグリ部２ｄ２などの拡大図である。つまり、第１の実施形態のディスクケース１０では、ケース本体１の右側壁部１ｄの凸部１ｄ２によって、ケース蓋体２の右側壁部２ｄが補強されている。そのため、第１の実施形態のディスクケース１０によれば、ケース蓋体２の右側壁部２ｄにザグリ部２ｄ２が形成されるのに伴って、ケース蓋体２の右側壁部２ｄの強度が低下してしまうおそれを低減することができる。
【００７０】
第１の実施形態のディスクケース１０では、ケース本体１およびケース蓋体２が例えばＰＰ等のような透明な樹脂材料によって形成されている。第３の実施形態のディスクケース１０では、代わりに、不透明な樹脂材料によってケース本体１を形成することも可能である。
【図面の簡単な説明】
【００７１】
【図１】第１の実施形態のディスクケースの一部を構成するケース本体１を示した図である。
【図２】第１の実施形態のディスクケースの一部を構成するケース本体１を示した図である。
【図３】第１の実施形態のディスクケースの一部を構成するケース蓋体２を示した図である。
【図４】第１の実施形態のディスクケースの一部を構成するケース蓋体２を示した図である。
【図５】第１の実施形態のディスクケース１０を示した図である。
【図６】第１の実施形態のディスクケース１０を示した図である。
【図７】ケース本体１の係止突起１ａ４とケース蓋体２の係止穴２ｃ２ａとによって構成される係止機構３の拡大断面図である。
【図８】ケース本体１の右側壁部１ｄの凸部１ｄ２、ケース蓋体２の右側壁部２ｄのザグリ部２ｄ２などの拡大図である。
【符号の説明】
【００７２】
１                              ケース本体
１ａ                            底板部
１ａ１，１ａ２，１ａ３，１ａ４  係止突起
１ａ５，１ａ６，１ａ７，１ａ８  コーナー部
１ａ９                          ディスク係止部
１ｂ，１ｃ，１ｄ                側壁部
１ｄ１，１ｄ２                  凸部
１ｅ                            ヒンジ軸収容穴
２                              ケース蓋体
２ａ                            天板部
２ａ１，２ａ２，２ａ３，２ａ４  コーナー部
２ｂ，２ｃ，２ｄ                側壁部
２ｂ１，２ｂ２                  固定爪
２ｂ１ａ，２ｂ２ａ              係止穴
２ｃ１，２ｃ２                  固定爪
２ｃ１ａ，２ｃ２ａ              係止穴
２ｄ１，２ｄ２                  ザグリ部
２ｅ                            ヒンジ軸
３                              係止機構
１０                            ディスクケース
【図１】
0003145533.tif 000003
【図２】
0003145533.tif 000004
【図３】
0003145533.tif 000005
【図４】
0003145533.tif 000006
【図５】
0003145533.tif 000007
【図６】
0003145533.tif 000008
【図７】
0003145533.tif 000009
【図８】
0003145533.tif 000010